(57)【要約】      （修正有）【課題】キャップアダプタ内面に溜まったエアを容易に抜き去ることが出来るパウチ容器のエア抜きキャップアダプタを提供する。【解決手段】エア抜きキャップアダプタ１は、パウチ容器の取出口に取り外し可能に装着し得るようにキャップ状に構成され、内外に連通する小孔５を有するキャップ部２の内部に、該小孔５に向かって窄まる傾斜状のテーパ部８を設け、キャップアダプタ内面に溜まったエアを容易に抜き去ることが出来るように構成される。【選択図】図２
0003146373.tif 000002
【実用新案登録請求の範囲】
【請求項１】
内部に収容された流動性の収容物を外部に取り出すための取出口を有するパウチ容器の上記取出口に取り付けられるキャップアダプタにおいて、上記キャップアダプタは、上記取出口に対して挿着し得るように構成されたキャップ状をなすキャップ部と、このキャップ部の内外に連通する孔と、この孔に連通しキャップ部の外部に延設される管状部を有し、上記キャップ部の内部には上記孔に向かって傾斜するテーパ部が設けられ、上記パウチ容器内に入り込んだエアを上記テーパ部を伝って外部に抜き去ることが出来るようにしたことを特徴とするパウチ容器のエア抜きキャップアダプタ。
【請求項２】
前記キャップアダプタは、キャップ状をなす前記キャップ部と、このキャップ部の一外端に設けられる前記孔を囲繞して外部に向かって立設される略円筒状の結合部と、この結合部に対して装着され一端から他端にわたる貫通穴を有する結合部材と、この貫通穴に一端が挿着される前記管状部とを備えることを特徴とする請求項１記載のパウチ容器のエア抜きキャップアダプタ。
【考案の詳細な説明】
【技術分野】
【０００１】
本考案は、パウチ容器の取出口に装着されるキャップアダプタに係り、特にキャップアダプタ内面に溜まったエアを効果的に抜き去るためのエア抜きキャップアダプタに関するものである。
【背景技術】
【０００２】
従来、可撓性のシート材を袋状して、内部に液体クロマトグラフ用の移動相を収納した移動相パウチ容器が知られている。
【０００３】
この移動相パウチ容器は、使用時には予め取出口に螺合されているスクリュキャップを取り外し、事前にキャップアダプタに付け替えて使用される。従来のキャップアダプタ(101)の構造は、図３に示すように、キャップ状をなすキャップ部(102)と、このキャップ部(102)の天板部(106)に設けられる結合部(109)と、この結合部(109)に対して結合される結合部材(103)と、この結合部材(103)の内部に一端が挿着される管状のチューブ材(104)とを備える。キャップ部(102)は、全体としては一端が広く開口し、他端が中央に小孔(105)が貫穿された天板部(106)によって小さく開口した筒状をなし、この広く開口した一端側の内周面に、パウチ容器(C)の取出口(C1)の外周面に形成された螺旋溝(C4)に螺合し得るように形成された螺旋溝(107)を有する。結合部(109)は、天板部(106)の外面に、小孔(105)の周囲から略円筒状に立設され、栓状をなす結合部材(103)が嵌着し得るように構成される。この結合部材(103)の内部には、一端から他端にわたる貫通穴(112)が設けられ、内部に挿着されたチューブ材(104)の先端を天板部(106)に設けられた小孔(105)に挿着することができるように構成される。
【０００４】
このように構成された従来の移動相パウチ容器(C)用のキャップアダプタ(101)を使用する際には、まず予め螺合されているスクリュキャップをキャップアダプタ(101)に付け替えると共に、移動相パウチ容器(C)の内部に移動相を封入する際、或いは、スクリュキャップからキャップアダプタ(101)に付け替える際に移動相パウチ容器(C)内に入り込んでしまったエア(Ｅ)を抜き去る必要がある。このエア(Ｅ)がスクリュキャップを付け替えた移動相パウチ容器(C)内に残存していると液体クロマトグラフィにエアが流入する畏れがあるので、エア(Ｅ)を初期において抜き去らなければならないが、キャップアダプタ(101)の構造上、天板部(106)の内面(108)が平坦であるために、キャップ部(102)内側の角部にエア(Ｅ)が溜まってしまい、このことからエア抜きが困難なものとなっていた。
【考案の開示】
【考案が解決しようとする課題】
【０００５】
本考案は、上記問題点に鑑みてなされたものであり、パウチ容器内に入り込んだエアを容易に抜き去ることが出来るパウチ容器のエア抜きキャップアダプタを提供せんとするものである。
【課題を解決するための手段】
【０００６】
上記課題を解決するために本考案が採った手段は、内部に収容された流動性の収容物を外部に取り出すための取出口を有するパウチ容器の上記取出口に取り付けられるキャップアダプタにおいて、前記キャップアダプタは、前記取出口に対して装着し得るように構成されたキャップ状をなすキャップ部と、このキャップ部の内外に連通する孔と、この孔に連通してキャップ部の外部に延設される管状部を有し、前記キャップ部の内部には前記孔に向かって傾斜するテーパ部が設けられ、前記パウチ容器内に入り込んだエアを前記テーパ部を伝って外部に抜き去ることが出来るようにしたことを特徴とする。
【０００７】
前記キャップアダプタは、キャップ状をなす前記キャップ部と、このキャップ部の一外端に設けられる前記孔を囲繞して外部に向かって立設される略円筒状の結合部と、この結合部に対して装着され一端から他端にわたる貫通穴を有する結合部材と、この貫通穴に一端が挿着される前記管状部とを備えることを特徴とする。
【考案の効果】
【０００８】
本考案によれば、パウチ容器の取出口に取り外し可能に装着して使用するキャップアダプタを、内外に連通する孔を有するキャップ部の内部に、該孔に向かって窄まる傾斜状のテーパ部を設けたことによって、キャップアダプタ内面に溜まったエアを容易に抜き去ることが出来るという効果がある。
【０００９】
従って、当該考案のエア抜きキャップアダプタを、液体の移動相等を収容した移動相パウチ容器等に対して適用する場合には、キャップアダプタ内面に溜まったエアを初期段階において、簡便にして完全にキャップアダプタ内面から抜き去ることが出来、この移動相パウチ容器を用いた液体クロマトグラフィによる分析精度を向上させることが出来る。
【考案を実施するための最良の形態】
【００１０】
この考案の好ましい実施の形態を、以下に説明する。この考案のパウチ容器のエア抜きキャップアダプタは、内部に液体の収容物を収容する収容部内に収容された収容物を外部に取り出すための取出口を有するパウチ容器の該取出口に対して取り外し可能に螺合されたスクリュキャップに替えて螺合装着して使用されるものであって、該取出口に対して螺合装着し得るように構成されたキャップ状をなすキャップ部と、このキャップ部の内外に連通した孔と、この孔に連通してキャップ部の外部に延設される管状部を有し、キャップ部の内部には孔に向かって傾斜するテーパ部が設けられることを特徴とする。
【実施例１】
【００１１】
本考案の一実施例のエア抜きキャップアダプタ(１)を図１及び図２に基づいて説明する。まず図１は本考案のエア抜きキャップアダプタ(１)をパウチ容器(Ｃ)の取出口(C1)に対して螺合装着する状態を斜視図に示したものであり、図２は本考案のエア抜きキャップアダプタ(１)をパウチ容器(Ｃ)の取出口(C1)に螺合装着した状態の断面図である。
【００１２】
なお、パウチ容器(Ｃ)は、シート材が袋状に形成され内部即ち収容部(C2)に液体の収容物(図示省略)を収容することが出来るように構成されたパウチ容器本体(C3)と、収容部(C2)と外部即ち内外にわたって連通して収容部(C2)内に収容された収容物を外部に取り出すことが出来るようパウチ容器(Ｃ)の一部に設けられた取出口(C1)とを有する。取出口(C1)は、略円筒状をなし、外端部の外周面には螺旋溝(C4)が設けられ、取り外し可能にスクリュキャップ(図示省略)を螺合することによって、収容部(C2)内に収容された収容物を封止出来るように構成されている。
【００１３】
エア抜きキャップアダプタ(１)は、パウチ容器(Ｃ)の取出口(C1)に螺合装着し得るように構成されたキャップ状をなすキャップ部(２)と、このキャップ部(２)の内外にわたって連通するよう、栓状をなす結合部材(３)を介してキャップ部(２)に結合される管状をなすチューブ材(４)とから構成されている。
【００１４】
キャップ部(２)は、全体としては、一端が広く開口し、他端が中央に小孔(５)が貫穿された天板部(６)によって小さく開口した略円筒状をなす。広く開口した一端側の内周面には、パウチ容器(Ｃ)の取出口(C1)の外周面に形成された螺旋溝(C4)に螺合し得るように形成された螺旋溝(７)を有する。天板部(６)の内側は、キャップ部(２)の内周面に形成された螺旋溝(７)の内端部位から小孔(５)に向かって窄まるように傾斜したテーパ部(８)が設けられている。天板部(６)の外端には、小孔(５)の同心円上に小孔(５)を囲繞して外方に向かって立設される略円筒状の結合部(９)を有する。この結合部(９)の内周面には、外周面に螺旋溝(10)が形成された結合部材(３)を密栓螺合し得る螺旋溝(11)が形成されている。結合部材(３)は、全体としては略円筒状をなし、外周面に螺旋溝(10)が形成され、内部には一端から他端にわたって貫通してチューブ材(４)の一端が挿通される貫通穴(12)を有する。
【００１５】
チューブ材(４)は、パウチ容器(Ｃ)の収容部(C2)内に収容された収容物を外部に取り出しつつ、内部を流通させて所要の供給先に供給するためのものであって、適宜の内径と長さを有する管状の部材であり、一端は結合部材(３)の貫通穴(12)に挿通されて結合部材(３)と一体化され、この結合部材(３)を介してキャップ部(２)に結合され、キャップ部(２)の内側とチューブ材(４)内とが連通するよう構成される。
【００１６】
以上説明したように構成される本実施例のエア抜きキャップアダプタ(１)を使用する場合は、まずパウチ容器(Ｃ)の取出口(C1)に螺合されているスクリュキャップを取り外し、これに替え改めて取出口(C1)にエア抜きキャップアダプタ(１)を螺合装着する。エア抜きキャップアダプタ(１)を取出口(C1)に装着した後、パウチ容器(Ｃ)内にエア(図示省略)が入り込んでいないか確認し、エアが入り込んでいる際には取出口(C1)を鉛直上方に位置させてパウチ容器本体(C3)を軽く押圧しながらエアをエア抜きキャップアダプタ(１)を通じて外部に押し出す。このとき、パウチ容器(Ｃ)内に入り込んでいたエアは、キャップ部(２)内に設けられたテーパ部(８)を伝って天板部(６)中央に貫穿された小孔(５)に流下するので、エア抜きキャップアダプタ(１)内に止まることなく容易に抜き去ることが出来る。
【図面の簡単な説明】
【００１７】
【図１】エア抜きキャップアダプタをパウチ容器の取出口に対して螺合装着する状態を示した斜視図
【図２】エア抜きキャップアダプタをパウチ容器の取出口に螺合装着した状態を示した部分断面図
【図３】従来のキャップアダプタをパウチ容器の取出口に螺合装着した状態を示した部分断面図
【符号の説明】
【００１８】
１  エア抜きキャップアダプタ
２  キャップ部
３  結合部材
４  チューブ材
５  小孔
６  天板部
７  螺旋溝
８  テーパ部
９  結合部
10  螺旋溝
11  螺旋溝
12  貫通穴
Ｃ  パウチ容器
C1  取出口
C2  収容部
C3  パウチ容器本体
C4  螺旋溝
101  キャップアダプタ
102  キャップ部
103  結合部材
104  チューブ材
105  小孔
106  天板部
107  螺旋溝
108  天板部の内面
109  結合部
112  貫通穴
Ｅ  エア
【図１】
0003146373.tif 000003
【図２】
0003146373.tif 000004
【図３】
0003146373.tif 000005